(57)【要約】【課題】フランジ部をなくして、より一層のコンパクト化・薄型化を実現し、かつ組み立ても簡単な温水装置の提供を目的とする。【解決手段】平板状加熱手段２と、これ収納する第一のケース３および第二のケース４と、シール材５と、入水口６および出湯口７と、シール材５を挟み込む溝８と、溝８の一端から始まり平板状加熱手段２の発熱部を包囲し溝８の他端に達するシール部９を備え、第一のケース３と第二のケース４とを締結することにより、平板状加熱手段２と第一のケース３もしくは第二のケース４との間に水路１０を構成し、入水口６と出湯口７とを水路１０を介して連通した。これにより、平板状加熱手段２を挟み込みシールすることで、フランジ部が不必要となりコンパクト化かつ薄型化が図れる。【選択図】図１
2005133479.tif 000002
【特許請求の範囲】
【請求項１】
発熱部と端子部が分かれた平板状加熱手段と、前記平板状加熱手段を収納する第一のケースと、前記平板状加熱手段を収納する第二のケースと、前記第一のケースもしくは前記第二のケースと前記平板状加熱手段間とを充填するシール材と、前記第一のケースもしくは前記第二のケースに設けられた入水口と、前記第一のケースもしくは前記第二のケースに設けられた出湯口と、前記第一のケースと前記第二のケースの少なくとも一方に設けられたシール材を挟み込む溝と、前記溝の一端から始まり、前記平板状加熱手段の発熱部を包囲し、前記溝の他端に達するシール部とを備え、前記第一のケースと前記第二のケースとを締結することにより、前記平板状加熱手段と前記第一のケースもしくは前記第二のケースとの間に水路を構成し、前記入水口と前記出湯口とを前記水路を介して連通する温水装置。
【請求項２】
水路は、前記第一のケースと前記第二のケースに設けられたリブと前記平板状加熱手段からなる請求項１に記載の温水装置。
【請求項３】
平板状加熱手段の発熱部を包囲するシール部は、前記第一のケースと前記第二のケースのうち一方に設けられた溶着リブと、前記第一のケースと前記第二のケースのうち他方に設けられた前記溶着リブに嵌合する第二の溝とからなる請求項１に記載の温水装置。
【請求項４】
平板状加熱手段の端子部周囲に前記第一のケースと前記第二のケースとの締結部を設けた請求項３に記載の温水装置。
【発明の詳細な説明】
【技術分野】
【０００１】
本発明は、給水源から供給される水を所定温度の適温水に短時間で加熱して人体局部の洗浄用などに使用する、瞬間加熱式の温水装置に関するものである。
【背景技術】
【０００２】
従来、この種の温水装置としては、すでに知られている（例えば、特許文献１参照）。
【０００３】
これは、図７に示すように、薄形矩形断面形状の平板状加熱手段２０と、平板状加熱手段２０に一体に設けられたフランジ２１と、平板状加熱手段２０を収納するタンク２２と、タンク２２に設けられた入水口２３および出湯口２４と、平板状加熱手段２０とタンク２２の内面との間に設けられた蛇行水路２５とを備え、入水口２３と出湯口２４とを蛇行水路２５を介して連通するとともに、タンク２２の開口端部とフランジ２１とを締結し、温水装置２６を構成している。すなわち、平板状加熱手段２０をタンク２２に収納後、平板状加熱手段２０の全周に設けられたフランジ２１にビス２７により締めつけてシールし、漏水を防止していた。
【特許文献１】特開平１０−２２０８７６号公報
【発明の開示】
【発明が解決しようとする課題】
【０００４】
しかしながら、前記従来の構成では、フランジ２１が存在するためコンパクト化や薄型化に限界があった。また、平板状加熱手段２０を挿入しフランジ２１でビス止めしてシールするという組み立てに、手間がかかるといった課題があった。
【０００５】
本発明は、前記従来の課題を解決するもので、フランジ部をなくして、より一層のコンパクト化・薄型化を実現し、かつ組み立ても簡単な温水装置の提供を目的とする。
【課題を解決するための手段】
【０００６】
前記課題を解決するために、本発明の温水装置は、発熱部と端子部が分かれた平板状加熱手段と、平板状加熱手段を収納する第一のケースおよび第二のケースと、第一のケースもしくは第二のケースと平板状加熱手段間とを充填するシール材と、第一のケースもしくは第二のケースに設けられた入水口および出湯口と、第一のケースと第二のケースの少なくとも一方に設けられたシール材を挟み込む溝と、溝の一端から始まり平板状加熱手段の発熱部を包囲し溝の他端に達するシール部とを備え、第一のケースと第二のケースとを締結することにより、平板状加熱手段と第一のケースもしくは第二のケースとの間に水路を構成し、入水口と出湯口とを水路を介して連通したものである。
【０００７】
これにより、平板状加熱手段を第一のケースおよび第二のケースで挟み込みシールすることで、フランジ部が不必要となりコンパクト化かつ薄型化が図れる。しかも、第一のケースを土台にして、順に平板状加熱手段とシール材、最後に第二のケースを層状に積み重ね、第一のケースと第二のケースを締結するため、一方向組み立てが実現でき、組み立ての簡略化・機械によるオートメーション化が図れる。
【発明の効果】
【０００８】
本発明の温水装置は、フランジ部をなくして、より一層のコンパクト化・薄型化を実現し、かつ組み立ても簡単なものとなる。
【発明を実施するための最良の形態】
【０００９】
第１の発明は、発熱部と端子部が分かれた平板状加熱手段と、前記平板状加熱手段を収納する第一のケースと、前記平板状加熱手段を収納する第二のケースと、前記第一のケースもしくは前記第二のケースと前記平板状加熱手段間とを充填するシール材と、前記第一のケースもしくは前記第二のケースに設けられた入水口と、前記第一のケースもしくは前記第二のケースに設けられた出湯口と、前記第一のケースと前記第二のケースの少なくとも一方に設けられたシール材を挟み込む溝と、前記溝の一端から始まり、前記平板状加熱手段の発熱部を包囲し、前記溝の他端に達するシール部とを備え、前記第一のケースと前記第二のケースとを締結することにより、前記平板状加熱手段と前記第一のケースもしくは前記第二のケースとの間に水路を構成し、前記入水口と前記出湯口とを前記水路を介して連通する温水装置とすることにより、フランジ部をなくして、より一層のコンパクト化・薄型化を実現し、かつ組み立ても簡単なものとなる。
【００１０】
第２の発明は、特に、第１の発明における水路は、前記第一のケースと前記第二のケースに設けられたリブと前記平板状加熱手段からなるもので、水路の断面積を小さくすることにより、流速を増大させ熱伝達率を大きくすることができるので、低吐水量においても熱効率の向上、高負荷化を行なうことができ、コンパクト化が図れる。
【００１１】
第３の発明は、特に、第１の発明における平板状加熱手段の発熱部を包囲するシール部は、前記第一のケースと前記第二のケースのうち一方に設けられた溶着リブと、前記第一のケースと前記第二のケースのうち他方に設けられた前記溶着リブに嵌合する第二の溝とからなることにより、さらに組み立ての簡略化が図れる。
【００１２】
第４の発明は、特に、第３の発明における平板状加熱手段の端子部周囲に前記第一のケースと前記第二のケースとの締結部を設けたことにより、第一のケースもしくは第二のケースと平板状加熱手段間とを充填するシール材の反発力を押さえ込み、第一のケースと第二のケースとをより強固に締結することができ、耐圧性が向上する。
【００１３】
以下、本発明の実施の形態について、図面を参照しながら説明する。なお、この実施の形態によって本発明が限定されるものではない。
【００１４】
（実施の形態１）
図１、図２は本発明の実施の形態１における温水装置を示すものである。
【００１５】
図に示すように、温水装置１は、発熱部と端子部が分かれた平板状加熱手段２と、前記平板状加熱手段２を収納する第一のケース３と、前記平板状加熱手段２を収納する第二のケース４と、前記第一のケース３もしくは前記第二のケース４と前記平板状加熱手段２間とを充填するシール材５と、前記第一のケース３もしくは前記第二のケース４に設けられた入水口６と、前記第一のケース３もしくは前記第二のケース４に設けられた出湯口７と、前記第一のケース３と前記第二のケース４の少なくとも一方に設けられたシール材５を挟み込む溝８と、前記溝８の一端から始まり、前記平板状加熱手段２の発熱部を包囲し、前記溝８の他端に達するシール部９とを備え、前記第一のケース３と前記第二のケース４とを締結することにより、前記平板状加熱手段２と前記第一のケース３もしくは前記第二のケース４との間に水路１０を構成し、前記入水口６と前記出湯口７とを前記水路１０を介して連通するものである。また、平板状加熱手段２には、給電端子１１とそれに接続したリード線１２を有している。
【００１６】
上記構成により、入水口６からケース内に流入した水は平板状加熱手段２の両面に分かれ、加熱された後、出湯口７より流出する。本実施の形態に示すように、温水装置１では、フランジ部が存在しないために、コンパクト化・薄型化が実現されている。また従来の構成（図７）おいて、例えば、タンクの側面上にサーミスタや保安器などの部品や制御用基板を装着しようとする際の組み立てでは、まずタンクに平板状加熱手段を上から挿入し、フランジ部でビス止めした後、９０度回転させ、タンク４の側面を天面に持ってきて部品を装着していくこととなり、非常に手間がかかり、機械によるオートメーション化も複雑なものとなる。一方、本実施の形態では、第一のケース３もしくは第二のケース４を土台にして、順に平板状加熱手段２とシール材５、最後に他方のケースを層状に積み重ね第一のケース３と第二のケース４を締結するため、組み立ての方向が一方向からのみとなっており、簡便でオートメーション化も容易なものとなっている。
【００１７】
なお、本実施の形態において、シール材５にはＯリングが考えられる。シール材５を挟み込む溝８の形状を工夫することで強固なシール性が実現できる。また、他のシール材として、第一のケース３もしくは第二のケース４にシリコンを注入する穴を空け、シール材を挟み込む溝８にシリコンを流し込む方法が考えられる。この方法では締結の際、平板状加熱手段２がシール材により圧力を受ける上記の方法と異なり、第一のケース３と第二のケース４を締結した後にシール材を流し込む方法であるので、平板状加熱手段２に余分な負荷を与えずに済む。
【００１８】
（実施の形態２）
図３、図４は、本発明の実施の形態２における温水装置を示すものである。実施の形態１と同一要素については、同一符号を付して説明を省略する。
【００１９】
本実施の形態においては、第一のケース３と第二のケース４内にリブ１３を設け、平板状加熱手段２との間にリブ１３を隔壁とした蛇行水路１４を構成しているものである。
【００２０】
上記構成により、入水口６からケース内に流入した水は、矢印のように、平板状加熱手段２の両面に分かれ、蛇行水路１４を通過し、加熱された後、出湯口７より流出する。
【００２１】
このように、平板状加熱手段２の両面に蛇行水路１４を形成する方式は、加熱流量が少ない場合などに極めて有効であるが、一般的に薄形矩形断面を持つ平板状加熱手段２をタンク内に収納し密閉した函体とするシール構造の形成が甚だ困難であった。本実施の形態に示す温水装置１では、平板状加熱手段２をシール材５ごと第一のケース３と第二のケース４とで包み込み、締結することでシールすることが可能となる。
【００２２】
（実施の形態３）
図５は、本発明の実施の形態３における温水装置を示すものである。実施の形態１、２と同一要素については、同一符号を付して説明を省略する。
【００２３】
本実施の形態においては、平板状加熱手段２の発熱部を包囲するシール部９を第一のケース３と第二のケース４とのうち一方に設けられた溶着リブ１５と、溶着リブ１５に嵌合し他方のケースに設けられた第二の溝１５ａとから構成している。第一のケース３と第二のケース４の締結手段に、溶着リブ１５の超音波溶着により、さらに組み立ての簡略化、高速化が図れる。
【００２４】
なお、本実施の形態においては、第一のケース３と第二のケース４の締結部として超音波溶着を用いたが、高周波溶着を用いる例も考えられる。高周波溶着では被加熱物の溶着する箇所のみを内部加熱させるため、平板状加熱手段２等の部品に及ぼす影響が最小限で済み、また溶着が短時間で済むのでバリの少ない美しい外観となる。また、他の方法として平板状加熱手段２の発熱部を包囲するシール部９を第一のケース３と第二のケース４とのうち少なくとも一方に設けられた溝にシリコンを流し込んで、締結およびシールする例も考えられる。
【００２５】
（実施の形態４）
図６は、本発明の実施の形態４における温水装置を示すものである。実施の形態１、２と同一要素については、同一符号を付して説明を省略する。
【００２６】
本実施の形態においては、平板状加熱手段２の端子部周囲にも第一のケース３と第二のケース４との締結部として実施の形態３のような超音波溶着部１６を設けることにより、第一のケース３もしくは第二のケース４と平板状加熱手段２との間とを充填するシール材５の反発力を押さえ込み、第一のケース３と第二のケース４とをより強固に締結することができる。この締結部を設けることにより、高水圧化におけるケースの変形がある程度抑制され、より確実な水シールが実現される。
【産業上の利用可能性】
【００２７】
以上のように、本発明にかかる温水装置は、フランジ部をなくして、より一層のコンパクト化・薄型化を実現し、かつ組み立ても簡単なものとなるので、人体局部の洗浄用に使用する衛生洗浄装置等として有用である。
【図面の簡単な説明】
【００２８】
【図１】本発明の実施の形態１における温水装置の一部切り欠き斜視図
【図２】同温水装置の断面図
【図３】本発明の実施の形態２における温水装置の断面図
【図４】同温水装置における垂直方向の断面図
【図５】本発明の実施の形態３における温水装置の垂直方向の断面図
【図６】本発明の実施の形態４における温水装置の断面図
【図７】従来の温水装置の概略構成図
【符号の説明】
【００２９】
１  温水装置
２  平板状加熱手段
３  第一のケース
４  第二のケース
５  シール材
６  入水口
７  出湯口
８  シール材を挟み込む溝
９  シール部
１０  水路
１１  給電端子
１３  リブ
１５  溶着リブ
１６  超音波溶着部
【図１】
2005133479.tif 000003
【図２】
2005133479.tif 000004
【図３】
2005133479.tif 000005
【図４】
2005133479.tif 000006
【図５】
2005133479.tif 000007
【図６】
2005133479.tif 000008
【図７】
2005133479.tif 000009